(57)【要約】【課題】原稿に生じているシワまたは折り曲げ跡などが画像データにおいて影の画像として現れることを回避すること。【解決手段】発光部１１は、原稿９０における主走査方向Ｄ１に沿うライン領域９０ａへ向けて、前記ライン領域９０ａに沿い、かつ、前記原稿９０の表面に直行する直交平面ｆ０の両側から交互に光を出射する。画像読取部は、前記ライン領域９０ａで反射した光の光量を検出するイメージセンサー１３を含み、前記イメージセンサー１３の検出光量に応じた一次ライン画像データＤｉ１を順次出力する。画素データ選択部８４は、前記直交平面ｆ０の両側から前記原稿９０へ交互に照射された光に対応する一対の前記一次ライン画像データＤｉ１から、予め定められた選択ルールに従って画素位置ごとに一方の画素データを選択することによって二次ライン画像データＤｉ２を生成する。【選択図】図３
2018098728.tif 000002
【特許請求の範囲】
【請求項１】
原稿における主走査方向に沿うライン領域へ向けて、前記ライン領域に沿い、かつ、前記原稿の表面に直行する直交平面の両側から交互に光を出射する交互光出射処理を実行可能な発光部と、
前記発光部が出射した光を、前記原稿の表面に対し、前記主走査方向に直交する副走査方向に沿って走査させる光走査機構と、
前記原稿の前記ライン領域で反射した光の光量を検出するイメージセンサーを含み、前記イメージセンサーの検出光量に応じた一次ライン画像データを順次出力する画像読取部と、
前記直交平面の両側から前記原稿へ交互に照射された光に対応する一対の前記一次ライン画像データから、予め定められた選択ルールに従って画素位置ごとに一方の画素データを選択することによって二次ライン画像データを生成する画素データ選択部と、を備え、
前記選択ルールは、一対の前記一次ライン画像データのうち予め定められた一方の前記画素データである注目画素データが、他方の画素データである参照画素データが表す輝度に応じて定まる閾輝度以上の輝度を表す場合に前記注目画素データを選択し、そうでない場合に前記参照画素データを選択するルールである、画像読取装置。
【請求項２】
前記発光部が前記直交平面の両側の一方からのみ前記ライン領域へ向けて継続して光を出射する第１動作モードと前記発光部が前記交互光出射処理を実行する第２動作モードのいずれか一方を選択する動作モード選択部をさらに備え、
前記光走査機構は、前記第２動作モードが選択された場合に、前記第１動作モードが選択された場合に対して２分の１の走査速度で前記原稿に対して光を走査させる、請求項１に記載の画像読取装置。
【請求項３】
前記発光部が、前記直交平面の両側それぞれから前記ライン領域へ向かう光を個別に出射する一対の光源を備え、
前記一対の光源は、前記交互光出射処理において交互に点灯する、請求項１または請求項２に記載の画像読取装置。
【請求項４】
前記発光部が、
１つの光源と、
それぞれ前記主走査方向に沿う棒状に形成され、それぞれ前記直交平面の両側に配置され、それぞれ端面から入射した光を前記ライン領域へ向けて出射する一対の棒状導光体と、
前記光源が出射した光を反射するとともに反射方向を既定方向範囲内において周期的に変化させる可動ミラーと、
前記可動ミラーから前記既定方向範囲内における予め定められた第１方向および第２方向へ反射した光をそれぞれ前記一対の棒状導光体の端面へ導く反射光導光部と、を備える、請求項１または請求項２に記載の画像読取装置。
【請求項５】
請求項１から請求項４のいずれか１項に記載の画像読取装置と、
前記画像読取装置により得られた前記二次ライン画像データに基づく画像をシートに形成する画像形成部と、を備える画像形成装置。
【発明の詳細な説明】
【技術分野】
【０００１】
本発明は、画像読取装置およびそれを備える画像形成装置に関する。
【背景技術】
【０００２】
一般に、画像読取装置は、発光部、光走査機構および画像読取部を備える。前記発光部は、原稿における主走査方向に沿うライン領域へ向けて光を出射する。前記光走査機構は、前記発光部が出射した光を、原稿の表面に対し、前記主走査方向に直交する副走査方向に沿って走査させる。前記画像読取部は、前記原稿の前記ライン領域で反射した光の光量を検出するイメージセンサーを含み、前記イメージセンサーの検出光量に応じたライン画像データを順次出力する。
【０００３】
また、前記発光部が、光源の光を主に前記原稿の前記ライン領域へ導く導光体と、前記導光体から前記ライン領域以外へ向かう光を前記導光体に対し反対側から前記ライン領域へ向けて反射するミラーとを備えることが知られている（例えば、特許文献１参照）。これにより、前記光源の光が効率的に前記ライン領域に照射される。
【先行技術文献】
【特許文献】
【０００４】
【特許文献１】特開２００５−２５２６４６号公報
【発明の概要】
【発明が解決しようとする課題】
【０００５】
ところで、前記原稿に生じているシワまたは折り曲げ跡などは、前記画像読取装置から出力される画像データにおいて、影の画像として現れやすい。また、光が複数の方向から前記原稿に照射された場合、前記画像データにおける前記影の画像が薄くなるものの、前記影の画像が現れる現象を回避することはできない。
【０００６】
本発明の目的は、原稿に生じているシワまたは折り曲げ跡などが画像データにおいて影の画像として現れることを回避できる画像読取装置およびそれを備える画像形成装置を提供することにある。
【課題を解決するための手段】
【０００７】
本発明の一の局面に係る画像読取装置は、発光部と、光走査機構と、画像読取部と、画素データ選択部を、を備える。前記発光部は、原稿における主走査方向に沿うライン領域へ向けて、前記ライン領域に沿い、かつ、前記原稿の表面に直行する直交平面の両側から交互に光を出射する交互光出射処理を実行可能である。前記光走査機構は、前記発光部が出射した光を、前記原稿の表面に対し、前記主走査方向に直交する副走査方向に沿って走査させる。前記画像読取部は、前記原稿の前記ライン領域で反射した光の光量を検出するイメージセンサーを含み、前記イメージセンサーの検出光量に応じた一次ライン画像データを順次出力する。前記画素データ選択部は、前記直交平面の両側から前記原稿へ交互に照射された光に対応する一対の前記一次ライン画像データから、予め定められた選択ルールに従って画素位置ごとに一方の画素データを選択することによって二次ライン画像データを生成する。前記選択ルールは、一対の前記一次ライン画像データのうち予め定められた一方の前記画素データである注目画素データが、他方の画素データである参照画素データが表す輝度に応じて定まる閾輝度以上の輝度を表す場合に前記注目画素データを選択し、そうでない場合に前記参照画素データを選択するルールである。
【０００８】
本発明の他の局面に係る画像形成装置は、前記画像読取装置と、前記画像読取装置により得られた前記二次画像データに基づく画像をシートに形成する画像形成部とを備える。
【発明の効果】
【０００９】
本発明によれば、原稿に生じているシワまたは折り曲げ跡などが画像データにおいて影の画像として現れることを回避できる画像読取装置およびそれを備える画像形成装置を提供することが可能になる。
【図面の簡単な説明】
【００１０】
【図１】図１は、第１実施形態に係る画像読取装置を備える画像形成装置の構成図である。
【図２】図２は、画像形成装置における制御関連部のブロック図である。
【図３】図３は、第１実施形態に係る画像読取装置の発光部の構成図である。
【図４】図４は、第１実施形態に係る画像読取装置の一対の光源を下方から見た図である。
【図５】図５は、第２実施形態に係る画像読取装置の発光部の構成図である。
【図６】図６は、第２実施形態に係る画像読取装置の一対の棒状導光体の側面図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［画像形成装置１０の構成］
画像形成装置１０は、実施形態に係る画像読取装置１を備え、画像読取装置１を用いた複写機能を有する。画像形成装置１０は、例えば複写機、ファクシミリ装置または複合機などである。
【００１３】
図１に示されるように、画像形成装置１０は、画像形成部４を有する本体部２および画像読取装置１を備える。さらに、画像形成装置１０は、画像読取装置１および本体部２に共通の制御部８および操作表示部８０も備える。制御部８は、画像読取装置１および本体部２の制御およびその他のデータ処理を行う。
【００１４】
［画像読取装置１］
画像読取装置１は、原稿９０の画像を読み取る装置である。画像読取装置１は、発光部１１、導光機器１２およびイメージセンサー１３を備える。さらに、図１に示される画像読取装置１は、可動支持機構１４、ＡＤＦ（Automatic Document Feeder）１５および透明の原稿台１６を備える。可動支持機構１４は、発光部１１および導光機器１２を支持する。
【００１５】
画像読取装置１は、原稿台１６に載置された原稿９０、または、ＡＤＦ１５によって搬送される原稿９０に光を照射し、原稿９０からの反射光の光量を検出することにより、原稿９０の画像を読み取る。
【００１６】
発光部１１は、原稿９０における主走査方向Ｄ１に沿うライン領域９０ａへ向けて光を出射する（図１，４参照）。導光機器１２は、ミラーおよびレンズを含み、原稿９０のライン領域９０ａで反射した反射光をイメージセンサー１３の受光部へ導く。
【００１７】
以下の説明において、原稿９０のライン領域９０ａに沿い、かつ、原稿９０の表面に直行する平面のことを直交平面ｆ０と称する（図３，４参照）。導光機器１２は、原稿９０のライン領域９０ａから直交平面ｆ０に沿う方向へ反射した光をイメージセンサー１３の受光部へ導く。
【００１８】
イメージセンサー１３は、原稿９０のライン領域９０ａで反射した光の光量を検出するセンサーである。イメージセンサー１３は、原稿９０からの反射光を光電変換することより、原稿９０のライン領域９０ａの画像を表すライン画像信号Ａｉ０を順次出力する。
【００１９】
図１に示されるイメージセンサー１３はＣＣＤセンサーである。なお、イメージセンサー１３が、発光部１１およびレンズとともに一体に構成されたＣＩＳ（Contact Image Sensor）であることも考えられる。
【００２０】
ＡＤＦ１５は、原稿供給トレイ１５１に載置された原稿９０を１枚ずつピックアップして原稿搬送路１５２に沿って搬送し、原稿排出トレイ１５３上へ排出する。
【００２１】
原稿９０がＡＤＦ１５によって搬送される場合、可動支持機構１４は、発光部１１および導光機器１２を一定の位置に支持する。ＡＤＦ１５は、発光部１１の光が照射される位置において、主走査方向Ｄ１に直交する副走査方向Ｄ２に沿って原稿９０を搬送する。この場合、ＡＤＦ１５が、発光部１１が出射した光を、原稿９０の表面に対し、副走査方向Ｄ２に沿って走査させる光走査機構の一例である。
【００２２】
一方、原稿９０が原稿台１６に載置される場合、可動支持機構１４は、発光部１１および導光機器１２を、原稿台１６の下方において副走査方向Ｄ２に沿って移動させる。この場合、可動支持機構１４が、発光部１１が出射した光を、原稿９０の表面に対し、副走査方向Ｄ２に沿って走査させる光走査機構の一例である。
【００２３】
操作表示部８０は、ユーザーインターフェイスである。操作表示部８０は、例えばタッチパネルおよび操作ボタンなどを含む操作部８０ａと、液晶表示パネルなどを含む表示部８０ｂとを有する。
【００２４】
制御部８は、イメージセンサー１３から順次出力されるライン画像信号Ａｉ０をデジタルの一次ライン画像データＤｉ１へ順次変換するデジタル変換回路８００を含む。イメージセンサー１３およびデジタル変換回路８００は、イメージセンサー１３の検出光量に応じた一次ライン画像データＤｉ１を順次出力する画像読取部の一例である。
【００２５】
制御部８は、操作部８０ａを通じて入力される入力データおよび各種センサーの検出結果に基づいて、画像読取装置１および本体部２が備える各種の電気機器を制御する。さらに、制御部８は、一次ライン画像データＤｉ１に対する各種の画像処理も実行することにより、二次ライン画像データＤｉ２を生成する。
【００２６】
なお、原稿９０の１ページ分に対応する複数の二次ライン画像データＤｉ２が、印刷処理に用いられるページ画像データＤｐ０である。
【００２７】
［本体部２］
本体部２は、シート供給部３０、シート搬送部３および画像形成部４などを備える。シート供給部３０は、シート９が載置される部分である。シート９は、紙またはＯＨＰシートなどのシート状の画像形成媒体である。
【００２８】
シート搬送部３は、シート送出機構３１およびシート搬送機構３２を備える。シート送出機構３１は、シート９をシート供給部３０からシート搬送路３００へ送り出す。
【００２９】
シート搬送機構３２は、シート９をシート搬送路３００に沿って搬送する。これにより、シート９は、画像形成部４および定着装置４７を通過した後にシート搬送路３００の排出口からシート排出トレイ１００上へ排出される。
【００３０】
画像形成部４は、ページ画像データＤｐ０に基づく画像をシート９に形成する装置である。図１に示される画像形成部４は、シート搬送路３００に沿って搬送されるシート９に、電子写真方式で画像を形成する。
【００３１】
電子写真方式の画像形成部４において、ドラム状の感光体４１が回転し、帯電装置４２が感光体４１の表面を一様に帯電させる。感光体４１は、トナー像を担持する像担持体の一例である。
【００３２】
また、レーザー走査ユニット４３が、レーザー光を走査することにより、帯電した感光体４１の表面に、ページ画像データＤｐ０に対応する静電潜像を書き込む。
【００３３】
さらに、現像装置４４が、感光体４１にトナーを供給することにより、前記静電潜像をトナー像へ現像する。転写装置４５は、シート搬送路３００に沿って搬送されるシート９に、感光体４１表面の前記トナー像を転写する。また、クリーニング装置４６は、感光体４１表面に残存するトナーを除去する。
【００３４】
さらに、定着装置４７が、シート９上の前記トナー像を加熱することにより、シート９上に前記トナー像を定着させる。
【００３５】
図２に示されるように、制御部８は、主制御部８１、読取制御部８２、印刷制御部８３および画像処理部８４などを備える。なお、制御部８は、他装置との間でデータの受信および送信を行う不図示の通信インターフェイスなども備える。例えば、前記通信インターフェイスは、前記他装置から印刷ジョブデータを受信する。
【００３６】
主制御部８１、読取制御部８２、印刷制御部８３および画像処理部８４は、それぞれバス８０１に接続されおり、バス８０１を通じて相互にデータの受け渡しが可能である。
【００３７】
読取制御部８２は、画像読取装置１を制御し、画像読取装置１からデジタル変換回路８００を通じて一次ライン画像データＤｉ１を取得する。さらに、読取制御部８２は、一次ライン画像データＤｉ１をバス８０１を通じて画像処理部８４などの他の機器に転送する。
【００３８】
印刷制御部８３は、画像処理部８４からページ画像データＤｐ０を取得し、ページ画像データＤｐ０に基づく画像をシート９に形成するページ印刷処理を画像形成部４に実行させる。
【００３９】
画像処理部８４は、バス８０１を通じて読取制御部８２から得た一次ライン画像データＤｉ１または前記印刷ジョブデータなどに対する各種のデータ処理を実行する。
【００４０】
読取制御部８２、印刷制御部８３および画像処理部８４は、例えばＣＰＵ（Central Processing Unit）もしくはＤＳＰ（Digital Signal Processor）などのプロセッサー、またはＡＳＩＣ（Application Specific Integrated Circuit）などの回路によって実現される。
【００４１】
主制御部８１は、画像形成装置１０を統括して制御する。主制御部８１は、ＭＰＵ（Micro Processor Unit）８１１、ＲＡＭ（Random Access Memory）８１２および二次記憶部８１３などを備える。
【００４２】
ＭＰＵ８１１は、各種の演算およびデータ処理を実行するプロセッサーである。ＲＡＭ８１２は、ＭＰＵ８１１に実行させるためのプログラムを一時記憶する揮発性のコンピューター読み取り可能な主記憶装置である。
【００４３】
ＭＰＵ８１１は、表示部８０ｂに通知画面または操作メニュー画面などの各種の画面を表示させる。さらに、ＭＰＵ８１１は、操作部８０ａに対する操作を通じて入力される入力情報および各種センサーの検出結果に応じて他の制御部に制御指令を出力する。
【００４４】
例えば、ＭＰＵ８１１は、操作部８０ａに対する読み取り開始操作を検知した場合に、読取制御部８２に対して読み取り開始指令を出力する。前記読み取り開始指令を受けた読取制御部８２は、発光部１１およびイメージセンサー１３を動作させるとともに、ＡＤＦ１５または可動支持機構１４を動作させる。これにより、発光部１１と、イメージセンサー１３と、ＡＤＦ１５または可動支持機構１４とが、画像読取処理を実行する。
【００４５】
以下の説明において、前記画像読取処理において動作する可動支持機構１４およびＡＤＦ１５の一方のことを光走査機構１４ｏｒ１５と称する。
【００４６】
前記画像読取処理において、発光部１１が原稿９０のライン領域９０ａへ向けて光を出射し、ＡＤＦ１５または可動支持機構１４が、発光部１１が出射した光を、原稿９０の表面に対して副走査方向Ｄ２に沿って走査させる。さらに、イメージセンサー１３およびデジタル変換回路８００が、イメージセンサー１３の検出光量に応じた一次ライン画像データＤｉ１を順次出力する。
【００４７】
二次記憶部８１３は、ＭＰＵ８１１が参照する各種情報を記憶する不揮発性のコンピューター読取可能な記憶装置である。例えば、二次記憶部８１３がフラッシュメモリーまたはハードディスクドライブなどであることが考えられる。
【００４８】
二次記憶部８１３は、ＭＰＵ８１１に各種の処理を実行させるためのプログラム、ＭＰＵ８１１によって参照されるデータおよびＭＰＵ８１１によって書き込まれるデータを記憶する。
【００４９】
ところで、原稿９０に生じているシワまたは折り曲げ跡などは、画像読取装置１から出力される画像データにおいて、影の画像として現れやすい。また、光が複数の方向から原稿９０に照射された場合、前記画像データにおける前記影の画像が薄くなるものの、前記影の画像が現れる現象を回避することはできない。
【００５０】
画像読取装置１は、原稿９０に生じている前記シワまたは前記折り曲げ跡などがページ画像データＤｐ０において影の画像として現れることを回避するための構成を備える。以下、その構成について説明する。
【００５１】
図３，４に示されるように、画像読取装置１の発光部１１は、一対の光源１１ａ，１１ｂと、光源駆動回路１１ｃとを備える。一対の光源１１ａ，１１ｂは、それぞれ主走査方向Ｄ１に沿って原稿９０の幅全体に亘って形成されている。例えば、一対の光源１１ａ，１１ｂ各々が、主走査方向Ｄ１に沿って並ぶ複数のＬＥＤを備えたＬＥＤアレイであることなどが考えられる。
【００５２】
一対の光源１１ａ，１１ｂは、直交平面ｆ０の両側それぞれからライン領域９０ａへ向かう光を個別に出射する。図３，４に示される例において、一対の光源１１ａ，１１ｂの一方および他方が、それぞれ直交平面ｆ０の一方の側および他方の側に配置されている。そして、一対の光源１１ａ，１１ｂは、それぞれ直交平面ｆ０に対して対象な角度で、ライン領域９０ａへ直接向かう光を出射する。
【００５３】
なお、一対の光源１１ａ，１１ｂの両方が、直交平面ｆ０の一方の側に配置され、直交平面ｆ０の両側に主走査方向Ｄ１に沿って配置された一対のミラーが、一対の光源１１ａ，１１ｂが出射した光を、ライン領域９０ａへ向けて反射することも考えられる。
【００５４】
光源駆動回路１１ｃは、一対の光源１１ａ，１１ｂに対して個別に電力を供給する回路である。光源駆動回路１１ｃは、交互点灯処理と継続点灯処理とを実行可能である。前記交互点灯処理は、一対の光源１１ａ，１１ｂに対して交互に電力を供給することにより、一対の光源１１ａ，１１ｂを交互に点灯させる処理である。また、前記継続点灯処理は、一対の光源１１ａ，１１ｂのうち予め定められた一方にのみ電力を供給することにより、一対の光源１１ａ，１１ｂの一方のみを継続して点灯させる処理である。
【００５５】
光源駆動回路１１ｃが前記交互点灯処理を実行することにより、発光部１１が交互光出射処理を実行する。前記交互光出射処理は、原稿９０のライン領域９０ａへ向けて直交平面ｆ０の両側から一定周期で交互に光を出射することである。また、光源駆動回路１１ｃが前記継続点灯処理を実行することにより、発光部１１が継続光出射処理を実行する。前記継続光出射処理は、一対の光源１１ａ，１１ｂの一方のみの光をライン領域９０ａへ向けて継続して出射することである。
【００５６】
ＭＰＵ８１１は、モード選択プログラムＰｒ０を実行することにより、操作部８０ａに対する操作に従って、通常動作モードと影消し動作モードのいずれか一方を選択する処理を実行する。
【００５７】
前記通常動作モードは、画像読取装置１が原稿９０の画像を読み取る処理を実行する際に、発光部１１が前記継続光出射処理を実行する動作モードである。前記影消し動作モードは、画像読取装置１が原稿９０の画像を読み取る処理を実行する際に、発光部１１が前記交互光出射処理を実行する動作モードである。
【００５８】
なお、前記通常動作モードおよび前記影消し動作モードは、それぞれ第１動作モードおよび第２動作モードの一例である。また、モード選択プログラムＰｒ０を実行するときのＭＰＵ８１１が動作モード選択部の一例である。
【００５９】
また、光走査機構１４ｏｒ１５は、前記影消し動作モードが選択された場合に、前記通常動作モードが選択された場合に対して２分の１の走査速度で原稿９０に対して光を走査させる。
【００６０】
即ち、可動支持機構１４が動作する場合、可動支持機構１４は、前記影消し動作モードが選択された場合に、前記通常動作モードが選択された場合に対して２分の１の速度で発光部１１および導光機器１２を副走査方向Ｄ２に沿って移動させる。
【００６１】
また、ＡＤＦ１５が動作する場合、ＡＤＦ１５は、前記影消し動作モードが選択された場合に、前記通常動作モードが選択された場合に対して２分の１の速度で原稿９０を搬送する。
【００６２】
前記通常動作モードが選択された状態で、発光部１１、イメージセンサー１３および光走査機構１４ｏｒ１５が前記画像読取処理を実行する際に、画像処理部８４は、通常データ処理を実行する。
【００６３】
前記通常データ処理において、画像処理部８４は、一次ライン画像データＤｉ１に対して周知のシェーディング補正を施すことにより、補正後のデータを二次ライン画像データＤｉ２として生成する。
【００６４】
一方、前記影消し動作モードが選択された状態で、発光部１１、イメージセンサー１３および光走査機構１４ｏｒ１５が前記画像読取処理を実行する際に、画像処理部８４は、画素データ選択処理を実行する。
【００６５】
前記画素データ選択処理において、画像処理部８４は、直交平面ｆ０の両側から原稿９０へ交互に照射された光に対応する一対の一次ライン画像データＤｉ１それぞれに対して前記シェーディング補正を実行する。さらに、画像処理部８４は、補正後の一対の一次ライン画像データＤｉ１から、予め定められた選択ルールに従って画素位置ごとに一方の画素データを選択することによって二次ライン画像データＤｉ２を生成する。
【００６６】
即ち、前記影消し動作モードが選択された場合、画像処理部８４は、直交平面ｆ０の両側から原稿９０へ交互に照射された光に対応する一対の一次ライン画像データＤｉ１を１ライン分のデータに集約することにより、二次ライン画像データＤｉ２を生成する。
【００６７】
なお、前記影消し動作モードが選択された場合に二次ライン画像データＤｉ２を生成する画像処理部８４が、画素データ選択部の一例である。
【００６８】
以下の説明において、一対の一次ライン画像データＤｉ１のうち予め定められた一方の前記画素データのことを注目画素データと称し、他方の画素データのことを参照画素データと称する。
【００６９】
前記選択ルールは、前記注目画素データが、前記参照画素データが表す輝度に応じて定まる閾輝度以上の輝度を表す場合に前記注目画素データを選択し、そうでない場合に前記参照画素データを選択するというルールである。
【００７０】
例えば、前記閾輝度が、前記参照画素データが表す輝度と等しいことが考えられる。また、前記閾輝度が、前記参照画素データが表す輝度から予め定められた補正輝度を差し引いた輝度であることも考えられる。前記補正輝度は、比較的小さいな値である。
【００７１】
また、前記閾輝度が、前記参照画素データが表す輝度に対して１より小さな予め定められた補正係数を乗算することにより得られる輝度であることも考えられる。前記補正係数は１に近い値である。
【００７２】
前記補正輝度および前記補正係数は、前記注目画素データと前記参照画素データとの大小の比較における若干の不感帯を設定する。
【００７３】
なお、画像処理部８４が、一対の一次ライン画像データＤｉ１に基づく前記画素データ選択処理によって得られる二次ライン画像データＤｉ２に対して前記シェーディング補正を実行することも考えられる。
【００７４】
以上に示されるように、前記影消し動作モードが選択された場合、発光部１１が交互光出射処理を実行する。そして、発光部１１は、直交平面ｆ０の一方の側と他方の側とからライン領域９０ａへ向けて交互に光を出射する。
【００７５】
従って、原稿９０に前記シワまたは前記折り曲げ跡などが生じている場合であっても、一対の一次ライン画像データＤｉ１における画素位置ごとの一対の画素データの少なくとも一方は、前記シワまたは前記折り曲げ跡の影響が無い、もしくは、その影響が極小さなデータである。
【００７６】
即ち、一対の一次ライン画像データＤｉ１における画素位置ごとの一対の画素データのうち、輝度の高い方のデータが、前記シワまたは前記折り曲げ跡の影響が無い、もしくは、その影響が極小さなデータである。
【００７７】
前記影消し動作モードが選択された場合、画像処理部８４は、僅かな前記不感帯のことを除外すれば、基本的には一対の一次ライン画像データＤｉ１から画素位置ごとに輝度の高い方の画素データを選択する。
【００７８】
従って、画像読取装置１が採用されれば、原稿９０に生じている前記シワまたは前記折り曲げ跡などが二次ライン画像データＤｉ２において影の画像として現れることを回避できる。
【００７９】
また、一対の一次ライン画像データＤｉ１の間で、前記シワまたは前記折り曲げ跡とは関係のない輝度のばらつきが生じている場合がある。この場合、一対の一次ライン画像データＤｉ１の画素データが、前記シワまたは前記折り曲げ跡とは関係なしに、二次ライン画像データＤｉ２において混在すると、前記輝度のばらつきが画質悪化に繋がってしまう。
【００８０】
一方、前記不感帯が設定されることにより、一対の一次ライン画像データＤｉ１のうち極力一方の画素データが優先して選択される。これにより、前記輝度のばらつきが画質悪化に繋がることを回避することができる。
【００８１】
［第２実施形態］
次に、図５，６を参照しつつ、第２実施形態に係る画像読取装置が備える発光部１１Ｘについて説明する。発光部１１Ｘは、発光部１１と同様に、前記交互光出射処理を実行可能である。
【００８２】
発光部１１Ｘは、１つの光源１１ｆと、一次側固定ミラー１１ｇと、可動ミラー１１ｈと、一対の二次側固定ミラー１１ｉ，１１ｊと、一対の棒状導光体１１ｄ，１１ｅとを備える。
【００８３】
一対の棒状導光体１１ｄ，１１ｅは、それぞれ主走査方向Ｄ１に沿う棒状に形成されている。一対の棒状導光体１１ｄ，１１ｅは、それぞれ直交平面ｆ０の両側に配置されている。一対の棒状導光体１１ｄ，１１ｅは、それぞれ端面１１３から入射した光をライン領域９０ａへ向けて出射する。
【００８４】
図６に示されるように、一対の棒状導光体１１ｄ，１１ｅは、例えば透明な合成樹脂製の部材である。一対の棒状導光体１１ｄ，１１ｅは、それぞれ主走査方向Ｄ１に延びて形成された基部１１０およびレンズ部１１１を有している。
【００８５】
基部１１０おけるレンズ部１１１に対して反対側の表面には、プリズム１１２が形成されている。プリズム１１２は、基部１１０内を主走査方向Ｄ１に沿って進行する光をレンズ部１１１へ向けて反射する。
【００８６】
レンズ部１１１は、原稿９０のライン領域９０ａに対向して形成されている。プリズム１１２で反射した光は、レンズ部１１１からライン領域９０ａへ出射される。レンズ部１１１は、プリズム１１２で反射した光をライン領域９０ａへ集光する。
【００８７】
光源１１ｆは、ビーム光Ｌ０を出力する光源であり、例えば半導体レーザー光源である。一次側固定ミラー１１ｇは、一定の位置に固定され、ビーム光Ｌ０を可動ミラー１１ｈへ導く導光部材である。
【００８８】
可動ミラー１１ｈは、光源１１ｆが出射したビーム光Ｌ０を反射するとともに反射方向を既定方向範囲内において周期的に変化させる。例えば、可動ミラー１１ｈが、ＭＥＭＵＳ（Micro Electro Mechanical Systems）ミラーまたはガルバノミラーであることが考えられる。
【００８９】
一対の二次側固定ミラー１１ｉ，１１ｊは、それぞれ一定の位置に固定されている。一対の二次側固定ミラー１１ｉ，１１ｊは、可動ミラー１１ｈから前記既定方向範囲内における予め定められた第１方向および第２方向へ反射した光をそれぞれ一対の棒状導光体１１ｅ，１１ｄの端面１１３へ導く。なお、一対の二次側固定ミラー１１ｉ，１１ｊは反射光導光部の一例である。
【００９０】
一対の二次側固定ミラー１１ｉ，１１ｊの一方で反射したビーム光Ｌ０は、一対の棒状導光体１１ｄ，１１ｅの一方の基部１１０内において、主走査方向Ｄ１に沿って進行する。一対の二次側固定ミラー１１ｉ，１１ｊの他方で反射したビーム光Ｌ０は、一対の棒状導光体１１ｄ，１１ｅの他方の基部１１０内において、主走査方向Ｄ１に沿って進行する。
【００９１】
一対の二次側固定ミラー１１ｉ，１１ｊそれぞれにおけるビーム光Ｌ０が入射する側の端面１１３に対し反対側の端面には、ミラー１１４が設けられている。ミラー１１４は、基部１１０内を主走査方向Ｄ１に沿って進行する光が、基部１１０の端面から漏れ出ることを防ぐ。
【００９２】
一対の棒状導光体１１ｄ，１１ｅそれぞれにおいて、基部１１０内を主走査方向Ｄ１に沿って進行する光は、プリズム１１２で反射することにより、レンズ部１１１の長手方向の全範囲に渡る領域から出射し、ライン領域９０ａへ向かう。
【００９３】
前記影消しモードが選択された場合、可動ミラー１１ｈが、ビーム光Ｌ０の反射方向を一定周期で変化させる。これにより、一対の棒状導光体１１ｄ，１１ｅが、原稿９０のライン領域９０ａへ向けて直交平面ｆ０の両側から一定周期で交互に光を出射する。
【００９４】
一方、前記通常モードが選択された場合、可動ミラー１１ｈは、ビーム光Ｌ０を前記第１または前記第２方向へ反射する向きで停止する。これにより、一対の棒状導光体１１ｄ，１１ｅの一方が、直交平面ｆ０の両側の一方からのみライン領域９０ａへ向けて継続して光を出射する。
【００９５】
図５，６に示されるような発光部１１Ｘが、画像読取装置１における発光部１１の代わりに採用される場合も、画像読取装置１と同様の効果が得られる。
【符号の説明】
【００９６】
１            ：画像読取装置
２            ：本体部
３            ：シート搬送部
４            ：画像形成部
８            ：制御部
９            ：シート
１０          ：画像形成装置
１１，１１Ｘ  ：発光部
１１ａ，１１ｂ：一対の光源
１１ｃ        ：光源駆動回路
１１ｄ，１１ｅ：一対の棒状導光体
１１ｆ        ：光源
１１ｇ        ：一次側固定ミラー
１１ｈ        ：可動ミラー
１１ｉ        ：二次側固定ミラー
１１ｊ        ：二次側固定ミラー
１２          ：導光機器
１３          ：イメージセンサー
１４          ：可動支持機構（光走査機構）
１５          ：ＡＤＦ（光走査機構）
１６          ：原稿台
３０          ：シート供給部
３１          ：シート送出機構
３２          ：シート搬送機構
４１          ：感光体
４２          ：帯電装置
４３          ：レーザー走査ユニット
４４          ：現像装置
４５          ：転写装置
４６          ：クリーニング装置
４７          ：定着装置
８０          ：操作表示部
８０ａ        ：操作部
８０ｂ        ：表示部
８１          ：主制御部
８２          ：読取制御部
８３          ：印刷制御部
８４          ：画像処理部
９０          ：原稿
９０ａ        ：ライン領域
１００        ：シート排出トレイ
１１０        ：基部
１１１        ：レンズ部
１１２        ：プリズム
１１３        ：端面
１１４        ：ミラー
１５１        ：原稿供給トレイ
１５２        ：原稿搬送路
１５３        ：原稿排出トレイ
３００        ：シート搬送路
８００        ：デジタル変換回路
８０１        ：バス
８１１        ：ＭＰＵ
８１２        ：ＲＡＭ
８１３        ：二次記憶部
Ａｉ０        ：ライン画像信号
Ｄ１          ：主走査方向
Ｄ２          ：副走査方向
Ｄｉ１        ：一次ライン画像データ
Ｄｉ２        ：二次ライン画像データ
Ｄｐ０        ：ページ画像データ
Ｌ０          ：ビーム光
Ｐｒ０        ：モード選択プログラム
ｆ０          ：直交平面
【図１】
2018098728.tif 000003
【図２】
2018098728.tif 000004
【図３】
2018098728.tif 000005
【図４】
2018098728.tif 000006
【図５】
2018098728.tif 000007
【図６】
2018098728.tif 000008